(57)【要約】【課題】  下皿に収容しきれないパチンコ球がオーバーフロー樋２１の所定地点まで蓄積された旨を検出するための満杯検出部（検出レバー２２，スイッチ本体２３）の良好な設置方法を提供することを目的とする。【解決手段】  検出レバー２２には、樋カバー１５に穿設されている挿通孔１５ａから樋カバー１５の外面側へ突出し、検出レバー２２がパチンコ球に押圧されて移動すると樋カバー１５の外面に沿う方向に移動してスイッチ本体２３の押し釦２３ａを押圧するスイッチ押圧片２２ａが形成されている。スイッチ本体２３は、樋カバー１５の外面に設置されており、押し釦２３ａが押圧されると接点の開閉が切り替わる様に構成されている。【選択図】図２
2010094538.tif 000002
【特許請求の範囲】
【請求項１】
パチンコ球払出装置から払い出されたパチンコ球を収容するための上部球受け手段と、
該上部球受け手段に収容しきれないパチンコ球を収容するための下部球受け手段と、
前記パチンコ球払出装置が設置されている機構盤に形成され、前記上部球受け手段に収容しきれないパチンコ球を前記下部球受け手段へ導くオーバーフロー樋と、
前記下部球受け手段にも収容しきれないパチンコ球が前記オーバーフロー樋の所定地点まで蓄積された旨を検出するための満杯検出部と、
を備え、
前記満杯検出部は、
前記機構盤の所定位置に一端が固定され、他端が自由端となっている軸部材と、
該軸部材にて回動自在に軸支され、前記オーバーフロー樋の所定地点までパチンコ球が蓄積されると当該パチンコ球に押圧されて回動する検出レバーと、
該検出レバーを前記オーバーフロー樋の所定地点まで蓄積されたパチンコ球の押圧力に抗する方向に付勢するために前記軸部材に設置される付勢部材と、
前記検出レバーが回動することにより接点の開閉が切り替えられるスイッチ本体と、
によって構成され、
前記機構盤には、前記付勢部材と係合することにより当該付勢部材が前記軸部材の自由端側へ移動することを禁止する第１係止突起が形成されており、
前記検出レバーには、前記機構盤に形成されている第１係止突起により前記軸部材の自由端側へ移動することを禁止されている前記付勢部材と係合することにより当該検出レバー自身が前記軸部材の自由端側へ移動することを禁止する第２係止突起が形成されている
ことを特徴とするパチンコ遊技機。
【請求項２】
パチンコ球払出装置から払い出されたパチンコ球を収容するための上部球受け手段と、
該上部球受け手段に収容しきれないパチンコ球を収容するための下部球受け手段と、
前記パチンコ球払出装置が設置されている機構盤に形成され、前記上部球受け手段に収容しきれないパチンコ球を前記下部球受け手段へ導くオーバーフロー樋と、
前記下部球受け手段にも収容しきれないパチンコ球が前記オーバーフロー樋の所定地点まで蓄積された旨を検出するための満杯検出部と、
該満杯検出部による検出結果が入力される検出結果処理装置と、
落下して来るパチンコ球が前記検出結果処理装置に衝突しない様に当該検出結果処理装置を覆う被覆部材と、
を備え、
前記満杯検出部は、
前記オーバーフロー樋の所定地点までパチンコ球が蓄積されると当該パチンコ球に押圧されて移動する検出レバーと、
該検出レバーが移動することにより接点の開閉が切り替えられるスイッチ本体と、
によって構成され、
前記検出結果処理装置は、前記スイッチ本体から伸びる配線の先端に設けられているコネクタを差し込むためのコネクタ挿入部を有し、
前記被覆部材には、開状態において前記コネクタを前記コネクタ挿入部に差し込むこと及び前記コネクタ挿入部から抜き取ることができる様に構成された蓋部材が開閉自在に取り付けられている
ことを特徴とするパチンコ遊技機。
【請求項３】
前記スイッチ本体は、前記オーバーフロー樋の隔壁の外面に設置され、
前記検出レバーには、前記オーバーフロー樋の隔壁に穿設されている挿通孔から当該オーバーフロー樋の隔壁の外面側へ突出し、当該検出レバーがパチンコ球に押圧されて移動すると前記オーバーフロー樋の隔壁の外面に沿う方向に移動して前記スイッチ本体の接点の開閉を切り替えるスイッチ操作片が形成されている
ことを特徴とする請求項１又は２のいずれかに記載のパチンコ遊技機。
【請求項４】
前記満杯検出部による検出結果が入力される検出結果処理装置と、
落下して来るパチンコ球が前記検出結果処理装置に衝突しない様に当該検出結果処理装置を覆う被覆部材と、
を備え、
前記検出結果処理装置は、前記スイッチ本体から伸びる配線の先端に設けられているコネクタを差し込むためのコネクタ挿入部を有し、
前記被覆部材には、開状態において前記コネクタを前記コネクタ挿入部に差し込むこと及び前記コネクタ挿入部から抜き取ることができる様に構成された蓋部材が開閉自在に設置されている
ことを特徴とする請求項１に記載のパチンコ遊技機。
【請求項５】
前記スイッチ本体は、前記オーバーフロー樋の隔壁の外面に設置され、
前記検出レバーには、前記オーバーフロー樋の隔壁に穿設されている挿通孔から当該オーバーフロー樋の隔壁の外面側へ突出し、当該検出レバーがパチンコ球に押圧されて移動すると前記オーバーフロー樋の隔壁の外面に沿う方向に移動して前記スイッチ本体の接点の開閉を切り替えるスイッチ操作片が形成されている
ことを特徴とする請求項４に記載のパチンコ遊技機。
【発明の詳細な説明】
【技術分野】
【０００１】
本発明は、パチンコ遊技機に関し、特に、パチンコ球払出装置から払い出されたパチンコ球によって上皿（上部球受け手段）が満杯になり、上皿に収容しきれないパチンコ球によって下皿（下部球受け手段）も満杯になった場合にその旨を検出する満杯検出部を備えるパチンコ遊技機に関する。
【背景技術】
【０００２】
従来、パチンコ遊技機は、発射されたパチンコ球が入賞口へ入賞すると、パチンコ球払出装置からパチンコ球が払い出される様に構成されている。パチンコ球払出装置から払い出されたパチンコ球は、まず、上皿に導かれ、上皿が満杯になると、上皿に収容しきれないパチンコ球はオーバーフロー樋を介して下皿に導かれる。そして、下皿も満杯になり、更にオーバーフロー樋の所定地点までパチンコ球が蓄積されると、満杯検出部によってその旨が検出され、検出結果処理装置（具体的には払出制御基板）が、例えばパチンコ球発射装置の機能を停止させることによって遊技を一時的に停止させる様に構成されている。この満杯検出部は、通常、オーバーフロー樋の所定地点まで蓄積されたパチンコ球に押圧されて回動する様に構成された検出レバーと、検出レバーの回動位置に応じて接点の開閉が切り替わる様に構成されたスイッチ本体と、から成っており、検出結果処理装置がスイッチ本体の接点の開閉を監視している。
【発明の概要】
【発明が解決しようとする課題】
【０００３】
ところで、近年、趣向を凝らした演出や不正行為防止等のために、パチンコ遊技機の裏側には、非常に多くの装置が隙間なく設置されており、これ以上新たな機能を付加することが物理的に難しくなっている。このため、パチンコ遊技機の裏側に少しでも大きな物理的空き領域を確保するための満杯検出部の設置方法が求められている。
【０００４】
又、満杯検出部を構成するスイッチ本体と検出結果処理装置とは、スイッチ本体から伸びる配線の先端に設けられているコネクタを検出結果処理装置に設けられているコネクタ挿入部に差し込むことによって接続されているが、検出結果処理装置は、落下して来るパチンコ球が衝突しない様に被覆部材（具体的には所謂基板カバー）に収納されているので、スイッチ本体の点検・修理等のためにコネクタをコネクタ挿入部から抜き取る場合や再び差し込む場合には、被覆部材を取り外さなければならず、作業が面倒である。このため、満杯検出部を構成するスイッチ本体の点検・修理作業を簡略化するための満杯検出部の設置方法が求められている。
【０００５】
又、パチンコ遊技機の組み立ては、通常、コンベア等によって搬送されてくるパチンコ遊技機本体に部品を順に取り付けて行く流れ作業によって行われる。そして、パチンコ遊技機を構成する部品の内、満杯検出部の検出レバーは、まず、オーバーフロー樋の壁面に取り付けられ、次に、オーバーフロー樋の一壁面を構成するカバーが取り付けられることによって、パチンコ遊技機にしっかり固定されるのであるが、逆に言うと、カバーの取り付けが完了するまでは検出レバーの固定は不完全であり、パチンコ遊技機が振動するだけで検出レバーは容易に脱落してしまうので、検出レバーを再び取り付けなければならず、流れ作業が滞ってしまう。このため、パチンコ遊技機の組み立て作業中に検出レバーが脱落しない様にするための満杯検出部の設置方法が求められている。
【０００６】
そこで、本発明は、下皿に収容しきれないパチンコ球がオーバーフロー樋の所定地点まで蓄積された旨を検出するための満杯検出部の良好な設置方法を提供することを目的とする。
【課題を解決するための手段】
【０００７】
第１の発明にかかるパチンコ遊技機は、パチンコ遊技機の組み立て作業中に検出レバーが脱落しない様にするためのものであり、請求項１に記載されている様に、パチンコ球払出装置から払い出されたパチンコ球を収容するための上部球受け手段と、該上部球受け手段に収容しきれないパチンコ球を収容するための下部球受け手段と、前記パチンコ球払出装置が設置されている機構盤に形成され、前記上部球受け手段に収容しきれないパチンコ球を前記下部球受け手段へ導くオーバーフロー樋と、前記下部球受け手段にも収容しきれないパチンコ球が前記オーバーフロー樋の所定地点まで蓄積された旨を検出するための満杯検出部と、を備え、前記満杯検出部は、前記機構盤の所定位置に一端が固定され、他端が自由端となっている軸部材と、該軸部材にて回動自在に軸支され、前記オーバーフロー樋の所定地点までパチンコ球が蓄積されると当該パチンコ球に押圧されて回動する検出レバーと、該検出レバーを前記オーバーフロー樋の所定地点まで蓄積されたパチンコ球の押圧力に抗する方向に付勢するために前記軸部材に設置される付勢部材と、前記検出レバーが回動することにより接点の開閉が切り替えられるスイッチ本体と、によって構成され、前記機構盤には、前記付勢部材と係合することにより当該付勢部材が前記軸部材の自由端側へ移動することを禁止する第１係止突起が形成されており、前記検出レバーには、前記機構盤に形成されている第１係止突起により前記軸部材の自由端側へ移動することを禁止されている前記付勢部材と係合することにより当該検出レバー自身が前記軸部材の自由端側へ移動することを禁止する第２係止突起が形成されていることを特徴とする。ここで、付勢部材としては、例えばバネ等の弾性部材を挙げることができる。
【０００８】
本発明にかかるパチンコ遊技機では、機構盤に形成されている第１係止突起によって付勢部材が軸部材の自由端側への移動を禁止され、この付勢部材と検出レバーの第２係止突起とが係合することによって、検出レバーは軸部材の自由端側への移動を禁止される。このため、軸部材に検出レバーと付勢部材とが取り付けられれば、オーバーフロー樋の一壁面を構成するカバーが取り付けられていなくても、検出レバーは軸部材から脱落しないので、パチンコ遊技機の組み立て作業を滞りなく行うことができる。
【０００９】
又、第２の発明にかかるパチンコ遊技機は、満杯検出部を構成するスイッチ本体の点検・修理作業を簡略化するためのものであり、請求項２に記載されている様に、パチンコ球払出装置から払い出されたパチンコ球を収容するための上部球受け手段と、該上部球受け手段に収容しきれないパチンコ球を収容するための下部球受け手段と、前記パチンコ球払出装置が設置されている機構盤に形成され、前記上部球受け手段に収容しきれないパチンコ球を前記下部球受け手段へ導くオーバーフロー樋と、前記下部球受け手段にも収容しきれないパチンコ球が前記オーバーフロー樋の所定地点まで蓄積された旨を検出するための満杯検出部と、該満杯検出部による検出結果が入力される検出結果処理装置と、落下して来るパチンコ球が前記検出結果処理装置に衝突しない様に当該検出結果処理装置を覆う被覆部材と、を備え、前記満杯検出部は、前記オーバーフロー樋の所定地点までパチンコ球が蓄積されると当該パチンコ球に押圧されて移動する検出レバーと、該検出レバーが移動することにより接点の開閉が切り替えられるスイッチ本体と、によって構成され、前記検出結果処理装置は、前記スイッチ本体から伸びる配線の先端に設けられているコネクタを差し込むためのコネクタ挿入部を有し、前記被覆部材には、開状態において前記コネクタを前記コネクタ挿入部に差し込むこと及び前記コネクタ挿入部から抜き取ることができる様に構成された蓋部材が開閉自在に取り付けられていることを特徴とする。
【００１０】
本発明にかかるパチンコ遊技機では、検出結果処理装置は、従来と同様に、落下して来るパチンコ球が衝突しない様に被覆部材に覆われているが、被覆部材には蓋部材が取り付けられており、蓋部材を開ければ、被覆部材を取り外すことなくコネクタをコネクタ挿入部に差し込むこと及びコネクタ挿入部から抜き取ることができるので、スイッチ本体の点検・修理作業を簡略化することができる。
【００１１】
又、第１の発明及び第２の発明にかかるパチンコ遊技機は、各々独立でも充分な効果を有するが、請求項３に記載されている様に、第１の発明又は第２の発明にかかるパチンコ遊技機において、前記スイッチ本体は、前記オーバーフロー樋の隔壁の外面に設置され、前記検出レバーには、前記オーバーフロー樋の隔壁に穿設されている挿通孔から当該オーバーフロー樋の隔壁の外面側へ突出し、当該検出レバーがパチンコ球に押圧されて移動すると前記オーバーフロー樋の隔壁の外面に沿う方向に移動して前記スイッチ本体の接点の開閉を切り替えるスイッチ操作片が形成されていても良い。
【００１２】
同様に、請求項４に記載されている様に、第１の発明にかかるパチンコ遊技機において、前記満杯検出部による検出結果が入力される検出結果処理装置と、落下して来るパチンコ球が前記検出結果処理装置に衝突しない様に当該検出結果処理装置を覆う被覆部材と、を備え、前記検出結果処理装置は、前記スイッチ本体から伸びる配線の先端に設けられているコネクタを差し込むためのコネクタ挿入部を有し、前記被覆部材には、開状態において前記コネクタを前記コネクタ挿入部に差し込むこと及び前記コネクタ挿入部から抜き取ることができる様に構成された蓋部材が開閉自在に設置されていても良い。即ち、第１の発明と第２の発明とを組み合わせても良い。
【００１３】
更に、請求項５に記載されている様に、第１の発明にかかるパチンコ遊技機と第２の発明にかかるパチンコ遊技機とを組み合わせたパチンコ遊技機において、前記スイッチ本体は、前記オーバーフロー樋の隔壁の外面に設置され、前記検出レバーには、前記オーバーフロー樋の隔壁に穿設されている挿通孔から当該オーバーフロー樋の隔壁の外面側へ突出し、当該検出レバーがパチンコ球に押圧されて移動すると前記オーバーフロー樋の隔壁の外面に沿う方向に移動して前記スイッチ本体の接点の開閉を切り替えるスイッチ操作片が形成されていても良い。
【００１４】
この様にすれば、各発明の効果を相乗的に得ることができるので、パチンコ遊技機の価値がより一層向上する。
【図面の簡単な説明】
【００１５】
【図１】実施例のパチンコ遊技機の裏面側に設置されている機構盤の正面図である。
【図２】機構盤の右下部分の拡大図である。
【図３】満杯検出部を構成する検出レバー，スイッチ本体及び捻りコイルバネの斜視図である。
【図４】検出レバーが機構盤の壁面に取り付けられる前の状態を表す側面図である。
【図５】検出レバーが機構盤の壁面に取り付けられた後の状態を表す側面図（ａ）、及び、樋カバーも取り付けられた状態を表す側面図（ｂ）である。
【図６】スイッチ本体から伸びる配線の接続態様を説明するための正面図である。
【発明を実施するための形態】
【００１６】
以下、本発明の一実施例を図面に基づいて説明する。
まず、本実施例のパチンコ遊技機の構成について説明する。
図１は、本実施例のパチンコ遊技機の裏面側に設置されている機構盤の正面図である。図２は、機構盤の右下部分の拡大図である。図３は、満杯検出部を構成する検出レバー，スイッチ本体及び捻りコイルバネの斜視図である。図４及び図５は、検出レバーがどの様に取り付けられているかを説明するための側面図であり、図４は、検出レバーが機構盤の壁面に取り付けられる前の状態を表し、図５（ａ）は、検出レバーが機構盤の壁面に取り付けられた後の状態を表し、図５（ｂ）は、樋カバーも取り付けられた状態を表す。図６は、スイッチ本体から伸びる配線の接続態様を説明するための正面図である。
【００１７】
本実施例のパチンコ遊技機は、パチンコ球払出装置１１や主制御基板１６が設置されている機構盤１（図１参照）と、パチンコ球払出装置１１から払い出されたパチンコ球を収容するための上皿（図示せず）と、上皿に収容しきれないパチンコ球を収容するための下皿（図示せず）と、を備える。
【００１８】
機構盤１の主制御基板１６の陰には、上皿に収容しきれないパチンコ球を下皿へ導くオーバーフロー樋２１（図２参照）が形成されている。尚、オーバーフロー樋２１の隔壁の内、パチンコ遊技機裏面側の隔壁は、取り外し可能な樋カバー１５（図２，４，５参照）によって構成されている。
【００１９】
又、機構盤１には、下皿にも収容しきれないパチンコ球がオーバーフロー樋２１の所定地点まで蓄積されるとパチンコ球に押圧されて移動する検出レバー２２（図２，３参照）と、検出レバー２２が移動することにより接点の開閉が切り替えられるスイッチ本体２３（図２，３参照）と、が設置されている。
【００２０】
検出レバー２２には、樋カバー１５に穿設されている挿通孔１５ａ（図２，４，５参照）から樋カバー１５の外面側へ突出し、検出レバー２２がパチンコ球に押圧されて移動すると樋カバー１５の外面に沿う方向に移動してスイッチ本体２３の押し釦２３ａ（図２，３参照）を押圧するスイッチ押圧片２２ａ（図２，３参照）が形成されている。
【００２１】
スイッチ本体２３は、樋カバー１５の外面に設置されており、押し釦２３ａが押圧されると接点が開状態（ＯＦＦ状態）から閉状態（ＯＮ状態）へと切り替わる様に構成されている。
【００２２】
又、機構盤１には、一端が固定され、他端が自由端となっている軸部材１４ａ（図２，４，５参照）が形成されており、検出レバー２２には、軸部材１４ａにて回動自在に軸支するための軸支部２２ｂ（図３，４，５参照）が形成されており、軸部材１４ａに設置される捻りコイルバネ２４（図３，４，５参照）によってパチンコ球の押圧力に抗する方向（図２において軸部材１４ａを中心に左回りする方向）に付勢されている。又、機構盤１には、オーバーフロー樋２１の隔壁をＬ字状に屈曲させた阻止片２１ａが形成されており、検出レバー２２は、阻止片２１ａに当接するまでの範囲しか回動することができない様になっている。
【００２３】
又、機構盤１には、捻りコイルバネ２４の一端（図４，５における左側の端部）と係合することによって捻りコイルバネ２４が軸部材１４ａの自由端側へ移動することを禁止する第１係止突起１４ｂ（図４，５参照）が形成されており、検出レバー２２には、第１係止突起１４ｂによって軸部材１４ａの自由端側へ移動することを禁止されている捻りコイルバネ２４の他端（図４，５における右側の端部）と係合することにより検出レバー２２自身が軸部材１４ａの自由端側へ移動することを禁止する第２係止突起２２ｃが形成されている。
【００２４】
ここで、検出レバー２２，スイッチ本体２３，捻りコイルバネ２４等の取り付け手順について説明する。まず、図４に示す様に、樋カバー１５にスイッチ本体２３を螺子や接着剤等で固定する。次に、検出レバー２２の軸支部２２ｂ，捻りコイルバネ２４を軸部材１４ａに嵌め込む。そして、捻りコイルバネ２４の一端（図４，５における左側の端部）を第１係止突起１４ｂに引っ掛けると共に、捻りコイルバネ２４の他端（図４，５における右側の端部）を検出レバー２２の第２係止突起２２ｃに引っ掛けると、図５（ａ）に示す状態となる。すると、捻りコイルバネ２４は、第１係止突起１４ｂに引っ掛かることよって軸部材１４ａの自由端側への移動を禁止され、位置を固定される。又、このとき、検出レバー２４は、第２係止突起２２ｃが捻りコイルバネ２４に引っ掛かることによって、軸部材１４ａの自由端側への移動を禁止され、位置を固定される。即ち、樋カバーが取り付けられていなくても、検出レバー２２及び捻りコイルバネ２４は軸部材１４ａから脱落しない。そして、最後に、樋カバー１５の挿通孔１５ａにスイッチ押圧片２２ａを挿通すると共に樋カバー１５に形成されている軸部材１５ｂを検出レバー２２の軸支部２２ｂ，捻りコイルバネ２４に嵌め込むと、図５（ｂ）に示す状態となる。
【００２５】
又、機構盤１には、中継端子板１２（図６参照），払出制御基板（図示せず）が設置されており、中継端子板１２は、スイッチ本体２３から伸びる配線２３ｂの先端に設けられているコネクタ２３ｃを差し込むためのコネクタ挿入部１２ａを有している。そして、スイッチ本体２３の接点の開閉状態は、中継端子板１２を経由して払出制御基板に伝えられ、払出制御基板によって監視されている。
【００２６】
中継端子板１２，払出制御基板は、落下して来るパチンコ球が衝突しない様に基板カバー１３（図１，２，６参照）によって被覆されている。そして、基板カバー１３には、開状態においてコネクタ２３ｃをコネクタ挿入部１２ａに差し込むこと及びコネクタ挿入部１２ａから抜き取ることができる様に構成された蓋部材１３ａが開閉自在に取り付けられている。この蓋部材１３ａの軸付近には、軸部を内側に弾性変形させるためのスリット１３ａａが形成されており、基板カバー１３への取り付け及び基板カバー１３からの取り外しを容易に行うことができる様になっている。又、基板カバー１３の側面には、配線２３ｂを基板カバー１３内へ取り入れるための挿通孔１３ｂが穿設されている。
【００２７】
尚、本実施例において、上皿が前述の上部球受け手段に相当し、下皿が前述の下部球受け手段に相当し、樋カバー１５が前述のオーバーフロー樋の隔壁に相当し、スイッチ押圧片２２ａが前述のスイッチ操作片に相当し、中継端子板１２及び払出制御基板が前述の検出結果処理装置に相当し、基板カバー１３が前述の被覆部材に相当し、捻りコイルバネ２４が前述の付勢部材に相当する。
【００２８】
続いて、本実施例のパチンコ遊技機の効果について説明する。
本実施例のパチンコ遊技機は、検出レバー２２に、樋カバー１５に穿設されている挿通孔１５ａから樋カバー１５の外面側へ突出するスイッチ押圧片２２ａが形成されており、オーバーフロー樋２１の所定地点まで蓄積されたパチンコ球によって検出レバー２２が押圧されると、スイッチ押圧片２２ａは樋カバー１５の外面に沿う方向に移動し、樋カバー１５の外面に沿って移動するスイッチ押圧片２２ａによって、樋カバー１５の外面に設置されているスイッチ本体２３の押し釦２３ａが押圧されて接点の開閉が切り替えられる様に構成されている。
【００２９】
従って、検出レバー２２については、スイッチ押圧片２２ａが樋カバー１５から突出するだけであり、殆ど場所を取らない。又、スイッチ本体２３は樋カバー１５の外面に設置されるので、スイッチ本体２３として薄いものを採用すれば、殆ど場所を取らない。従って、パチンコ遊技機の裏側に空き領域を確保することができる。
【００３０】
又、中継端子板１２，払出制御基板は、従来と同様に、落下して来るパチンコ球が衝突しない様に基板カバー１３に覆われているが、基板カバー１３には蓋部材１３ａが取り付けられており、蓋部材１３ａを開ければ、基板カバー１３を取り外すことなくコネクタ２３ｃをコネクタ挿入部１２ａに差し込むこと及びコネクタ挿入部１２ａから抜き取ることができるので、スイッチ本体２３の点検・修理作業を簡略化することができる。
【００３１】
又、検出レバー２２の軸支部２２ｂ，捻りコイルバネ２４が軸部材１４ａに嵌め込まれ、捻りコイルバネ２４の一端が第１係止突起１４ｂに引っ掛けられると共に、捻りコイルバネ２４の他端が検出レバー２２の第２係止突起２２ｃに引っ掛けられると（図５（ａ）に示す状態になると）、樋カバー１５が取り付けられていなくても、検出レバー２２及び捻りコイルバネ２４は軸部材１４ａから脱落しない。このため、パチンコ遊技機の組み立て作業を滞りなく行うことができる。
【００３２】
以上、本発明の一実施例について説明したが、本発明は前述した実施例に何等限定されるものではなく、更に種々の態様において実施しても良いことはもちろんである。
例えば、実施例では、スイッチ本体２３は、押し釦２３ａが押圧されると接点が開状態（ＯＦＦ状態）から閉状態（ＯＮ状態）へと切り替わる様に構成されているが、押し釦２３ａが押圧されると接点が閉状態（ＯＮ状態）から開状態（ＯＦＦ状態）へと切り替わる様に構成されていても良い。
【００３３】
又、蓋部材１３ａは、開状態においてコネクタ２３ｃをコネクタ挿入部１２ａに差し込むこと及びコネクタ２３ｃをコネクタ挿入部１２ａから抜き取ることができる位置であれば、形状や設置位置は任意である。
【符号の説明】
【００３４】
１…機構盤    １１…パチンコ球払出装置    １２…中継端子板    １２ａ…コネクタ挿入部    １３…基板カバー    １３ａ…蓋部材    １３ａａ…スリット    １３ｂ…挿通孔    １４ａ…軸部材    １４ｂ…第１係止突起    １５…樋カバー    １５ａ…挿通孔    １５ｂ…軸部材    １６…主制御基板    ２１…オーバーフロー樋    ２２…検出レバー    ２２ａ…スイッチ押圧片    ２２ｂ…軸支部    ２２ｃ…第２係止突起    ２３…スイッチ本体    ２３ａ…押し釦    ２３ｂ…配線    ２３ｃ…コネクタ    ２４…捻りコイルバネ。
【図１】
2010094538.tif 000003
【図２】
2010094538.tif 000004
【図３】
2010094538.tif 000005
【図４】
2010094538.tif 000006
【図５】
2010094538.tif 000007
【図６】
2010094538.tif 000008